【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
光記録媒体に格納された映像データを内蔵された記録媒体に記録するための記録命令を入力するための入力部と；
格納された前記映像データを符号化するビデオエンコーダーと；
前記ビデオエンコーダーにより符号化された前記映像データを復号するビデオデコーダーと；
前記入力部を介して前記記録命令が入力されると、前記光記録媒体に格納された前記映像データについてそれぞれ符号化及び復号が行われるように前記ビデオエンコーダー及び前記ビデオデコーダーを制御し、前記符号化することに当って適用された所定のＴＶ放送方式に基づいて前記映像データが復号されるよう前記ビデオデコーダーを制御し、復号された前記映像データが前記内蔵された記録媒体に記録されるように処理するメーン制御部と含むことを特徴とする映像記録/再生装置。
【請求項２】
前記ビデオデコーダーは、所定の領域にＴＶ放送方式の設定値が記録されるレジスタを含み、
前記メーン制御部は、前記符号化に当って適用された前記所定のＴＶ放送方式に基づいて前記ＴＶ放送方式の設定値をアップデートするよう制御し、前記ビデオデコーダーがアップデートされた前記ＴＶ放送方式の設定値に基づいて復号するように制御することを特徴とする請求項１に記載の映像記録/再生装置。
【請求項３】
光記録媒体に格納された映像データを内蔵された記録媒体に記録できる映像記録/再生装置の制御方法において、
前記光記録媒体に格納された前記映像データを所定のＴＶ放送方式に応じて符号化するステップと；
前記符号化ステップにて適用された前記所定のＴＶ放送方式を検出するステップと；
検出された前記所定のＴＶ放送方式に基づいて符号化された前記映像データを復号するステップと含むことを特徴とする映像記録/再生装置の制御方法。
【請求項４】
前記所定のＴＶ放送方式は、ＮＴＳＣ方式、ＰＡＬ方式、及びＳＥＣＯＭ方式のうちいずれか１つであることを特徴とする請求項３に記載の映像記録/再生装置の制御方法。
【請求項５】
映像記録／再生装置のハードディスクドライブ（ＨＤＤ）に一時的に格納された情報を複数の特定の大きさを有するクラスターにセーブする方法において、
映像／音響信号を記録するための記録要求を受けるステップと；
前記映像／音響信号及び前記映像／音響信号に関する属性情報を前記ＨＤＤ上の臨時記録領域に一時的に記録するステップと；
パワーオフ命令が前記メーン制御部により受信されたか否か判断し、受信されたと判断された場合には、前記ＨＤＤ上の臨時記録領域に一時的に記録された映像／音響信号及び属性情報が存在するか否かを更に判断するステップと；
前記ＨＤＤ上の臨時記録領域に一時的に記録された映像／音響信号及び属性情報が存在する場合には、前記一時的に記録された映像／音響信号及び属性情報を前記ＨＤＤの長期記録領域の未記録領域に記録するステップとを有することを特徴とする方法。
【請求項６】
前記一時的に記録された映像／音響信号及び属性情報を前記ＨＤＤの長期記録領域の未記録領域に記録するステップを更に有することを特徴とする、請求項５記載の方法。
【請求項７】
前記一時的に記録された映像／音響信号及び属性情報を記録するステップは、
前記映像／音響信号が前記ＨＤＤのデータ記録領域の複数の未記録クラスターに記録されるように未記録クラスターに関する配置情報を確認して演算するステップと；
前記ＨＤＤのルートディレクトリー領域の前記複数の未記録クラスターも前記属性情報を記録するステップと；
前記ＨＤＤのＦＡＴ領域に長期に亘って前記未記録クラスターの夫々に関する情報を記録するステップとを有することを特徴とする、請求項６記載の方法。
【請求項８】
前記記録要求を受けるステップは、
記録されるべき要求信号に関する属性情報を発生させるステップと；
前記属性情報及び前記映像／音響信号が記録するために前記ＨＤＤに入力されるように前記属性情報を処理するステップとを有することを特徴とする、請求項５記載の方法。
【請求項９】
前記属性情報を発生させて処理するステップは、前記映像記録／再生装置のメーン制御部により実行され、
前記映像／音響信号は、前記映像記録／再生装置のデータ管理部を介して前記ＨＤＤに入力されることを特徴とする、請求項８記載の方法。
【請求項１０】
前記映像／音響信号及び属性情報を前記ＨＤＤ上の臨時記録領域に一時的に記録するステップは、
前記ＨＤＤの長期記録領域のファイル配置テーブル（ＦＡＴ）部分から前記長期記録領域のクラスターに関する情報を読み出すステップと；
前記長期記録領域のクラスターに関する前記ＦＡＴからの情報読み出しから未記録クラスターに関する配置情報を決定するステップと；
前記映像／音響信号が前記ＨＤＤの複数の未記録クラスターに記録されうるように情報読み出しを処理するステップとを有することを特徴とする、請求項５記載の方法。
【請求項１１】
前記長期記録領域のクラスターに関する情報は、前記クラスターの配置情報と、データがそれらのクラスターに記録されているか否かに関する情報とを有することを特徴とする、請求項１０記載の方法。
【請求項１２】
前記クラスターの夫々に関する情報は、前記ＨＤＤ上の臨時記録領域に一時的に記録されることを特徴とする、請求項１０記載の方法。
【請求項１３】
前記属性情報を処理し、ＦＡＴからクラスターに関する情報を読み出し、前記読み出されたクラスターに関する情報を処理するステップは、前記映像記録／再生装置のデータ管理部により実行されることを特徴とする、請求項１０記載の方法。
【請求項１４】
前記一時的に記録された映像／音響信号及び属性情報を前記ＨＤＤの未記録の長期記録領域に記録するステップは、
前記映像／音響信号が長期に亘って複数の未記録クラスターに記録されうるように、前記ＦＡＴ領域から読み出された情報に基づいて、データを含まない未記録クラスターの配置を決定するステップと；
前記属性情報を長期間前記ＨＤＤのルートディレクトリー領域の前記複数の未記録クラスターに分割して記録するステップとを有することを特徴とする、請求項５記載の方法。
【請求項１５】
前記一時的に記録された映像／音響信号及び前記映像／音響信号に関する属性情報を前記ＨＤＤの未記録の長期記録領域に記録するステップの後に続く前記ＦＡＴ領域をアップデートするステップを更に有することを特徴とする、請求項１４記載の方法。
【請求項１６】
パワーオフ命令が受信されたか否かを判断するステップは、
パワーオフ命令が前記メーン制御部により受信されたことをデータ管理部に通知するステップを有することを特徴とする、請求項５記載の方法。
【請求項１７】
前記映像記録／再生装置をオフとするステップを更に有することを特徴とする、請求項５記載の方法。
【請求項１８】
前記映像記録／再生装置をオフとするステップは、前記映像記録／再生装置のメーン制御部により実行されることを特徴とする、請求項１７記載の方法。
【請求項１９】
一時的に記録された、外部から受信され、現在視聴中のプログラムを長期に亘って永久に記録する方法において、
外部から受信され、現在視聴中のプログラムを揮発性記録領域に一時的に記録するステップと；
前記一時的に記録された、外部から受信され、現在視聴中のプログラムに対する長期記録命令を受けるステップと；
データを保持しない長期記録範囲の領域に長期に亘って前記一時的に記録された、外部から受信され、現在視聴中のプログラムを記録するステップとを有することを特徴とする方法。
【請求項２０】
前記一時的に記録された、外部から受信され、現在視聴中のプログラムは、ＭＰＥＧエンコーダーにより符号化された映像信号及び音響アナログ／デジタル変換器により変換された音響信号から成ることを特徴とする、請求項１９記載の方法。
【請求項２１】
前記外部から受信され、現在視聴中のプログラムを揮発性記録領域に一時的に記録するステップは、先入先出で記録されることを特徴とする、請求項１９記載の方法。
【請求項２２】
前記長期記録範囲は、不揮発性メモリであることを特徴とする、請求項１９記載の方法。
【請求項２３】
映像記録／再生装置のハードディスクドライブ（ＨＤＤ）を複数の特定の大きさを有するクラスターに分割する方法において、
複数のＨＤＤ分割方法選択のうち少なくとも一つを選択するステップと；
受けられ、選択された前記ＨＤＤ分割方法選択に応じて異なる大きさの複数のクラスターに前記ＨＤＤをフォーマットするステップとを有することを特徴とする方法。
【請求項２４】
ＨＤＤ分割方法を選択するステップは、
前記映像記録／再生装置に電気的に接続されたビデオ表示部を、選択される少なくとも一つのＨＤＤ分割方法に対応する少なくとも一つの選択を提供する補助画面を表示するよう制御するステップと；
ＨＤＤ分割方法が望まれる場合の選択された第一の選択を受けるステップとを有することを特徴とする、請求項２３記載の方法。
【請求項２５】
前記受けられ、選択された選択に応じて異なる大きさの複数のクラスターに前記ＨＤＤをフォーマットするステップは、
メーン制御部の制御下でデータ管理部のクラスター形成部により前記ＨＤＤをフォーマットするステップを有することを特徴とする、請求項２３記載の方法。
【請求項２６】
前記受けられ、選択された選択に応じて異なる大きさの複数のクラスターに前記ＨＤＤをフォーマットするステップは、
ＭＰＥＧファイル、ＭＰ３ファイル及び画像ファイルを格納するためのクラスターに前記ＨＤＤをフォーマットすることを特徴とする、請求項２３記載の方法。
【請求項２７】
ＭＰＥＧファイル、ＭＰ３ファイル及び画像ファイルを格納するためのクラスターに前記ＨＤＤをフォーマットするステップは、
前記ＭＰ３及び画像ファイル用の一般のクラスターをフォーマットするステップと；
前記ＭＰＥＧファイル用の大容量のスーパークラスターを形成するように複数の一般のクラスターをフォーマットするステップとを有することを特徴とする、請求項２６記載の方法。
【請求項２８】
前記ＨＤＤのフォーマットを続けるべきか否かを判断するステップと；
前記ＨＤＤのフォーマットを続ける肯定的決定を受けるステップとを更に有することを特徴とする、請求項２３記載の方法。
【請求項２９】
第一の領域がデータとデータに関する情報とを格納するためのデータ記録領域を有する一以上の領域に分割されたハードディスクドライブ（ＨＤＤ）と；
前記ＨＤＤを制御するデータ管理部と；
前記ＨＤＤを異なる大きさの複数のクラスターに分割するように前記データ管理部を制御するメーン制御部とを有することを特徴とする映像記録／再生装置。
【請求項３０】
前記データ管理部は、クラスター形成部と、拡張子検索部と、ファイル記録部とを有することを特徴とする、請求項２９記載の映像記録／再生装置。
【請求項３１】
前記クラスター形成部は、前記メーン制御部による制御に応じて、異なる大きさの複数のクラスターに前記ＨＤＤを形成することを特徴とする、請求項３０記載の映像記録／再生装置。
【請求項３２】
前記異なる大きさを有する複数のクラスターは、ＭＰ３及び画像のファイルを格納するための一般のクラスターと；
ＭＰＥＧファイル用の複数の一般のクラスターとを有することを特徴とする、請求項３１記載の映像記録／再生装置。
【請求項３３】
前記メーン制御部による制御に応じて補助画面を表示するビデオ表示部を更に有し、
前記補助画面は、ＨＤＤ分割方法選択の少なくとも一つの選択肢からＨＤＤ分割方法を選択するようユーザに要求することを特徴とする、請求項２９記載の映像記録／再生装置。
【請求項３４】
前記メーン制御部による制御に応じて別の補助画面を表示するビデオ表示部を更に有し、
前記別の補助画面は、ユーザが前記選択されたＨＤＤ分割方法に従って前記ＨＤＤを形成するよう望むことを確認することを特徴とする、請求項３３記載の映像記録／再生装置。
【請求項３５】
複数の特定の大きさを有するクラスターに分割された映像記録／再生装置のハードディスクドライブ（ＨＤＤ）にあるファイルを前記ＨＤＤに格納する方法において、
格納される前記ファイルに含まれる属性情報から格納されるべきファイルの拡張子情報を決定するステップと；
前記格納されるべきファイルの決定された拡張子情報と拡張子テーブルとを比較するステップと；
前記格納されるべきファイルの決定された拡張子情報と整合する前記拡張子テーブルのクラスターを決定するステップと；
前記格納されるべきファイルの決定された拡張子情報と整合するクラスターに前記ファイルを格納するステップとを有することを特徴とする方法。
【請求項３６】
格納される前記ファイルに含まれる属性情報から格納されるべきファイルの拡張子情報を決定するステップは、前記映像記録／再生装置のデータ管理部の拡張子検索部により実行されることを特徴とする、請求項３５記載の方法。
【請求項３７】
前記格納されるべきファイルの決定された拡張子情報と拡張子テーブルとを比較し、前記格納されるべきファイルの決定された拡張子情報と整合する前記拡張子テーブルのクラスターを決定するステップは、前記映像記録／再生装置のデータ管理部のクラスター選択部により実行されることを特徴とする、請求項３５記載の方法。
【請求項３８】
前記格納されるべきファイルの決定された拡張子情報と整合するクラスターに前記ファイルを格納するステップは、前記映像記録／再生装置のデータ管理部のファイル記録部により実行されることを特徴とする、請求項３５記載の方法。
【請求項３９】
前記映像記録／再生装置にファイルを格納するための装置において、
一以上の領域に分割され、データと前記データに関する情報とを格納するためのデータ記録領域を有し、複数の異なる大きさを有するクラスターにフォーマットされるハードディスクドライブ（ＨＤＤ）と；
該ＨＤＤを制御するデータ管理部と；
該データ管理部を制御して、格納されるべきファイルの拡張子に応じて前記ＨＤＤの適切な大きさのクラスターに当該ファイルを格納するメーン制御部とを有することを特徴とする装置。
【請求項４０】
前記データ管理部は、
様々な拡張子でクラスターを関連付ける拡張子テーブルを格納するクラスター形成部と；
格納されるべき前記ファイルの拡張子情報を検索し、決定する拡張子検索部と；
前記ファイルが格納されるべきクラスターを決定するよう前記決定された拡張子情報を前記拡張子テーブルとを比較するクラスター選択部と；
該クラスター選択部により決定されたクラスターに前記ファイルを格納するファイル記録部とを有することを特徴とする、請求項３９記載の装置。
【請求項４１】
映像記録／再生装置のハードディスクドライブ（ＨＤＤ）を複数の特定の大きさのクラスターに分割する方法において、分割された前記ＨＤＤに格納されたファイル上で編集が実行されるように、当該方法は、
複数のＨＤＤ分割方法選択の少なくとも一つからＨＤＤ分割方法を決定するステップと；
ＭＰ３及びＪＰＥＧファイル用の第一の記録領域、第二の記録領域、及びＭＰＥＧファイル用の第三の記録領域、並びに編集が前記第三の記録領域に格納されているＭＰＥＧファイルに対して成されるように設けられた隠しバッファ領域に前記ＨＤＤをフォーマットするステップとを有することを特徴とする方法。
【請求項４２】
前記ＨＤＤ分割方法を決定するステップは、
前記映像記録／再生装置に電気的に接続されたビデオ表示部を、選択される少なくとも一つのＨＤＤ分割方法に対応する少なくとも一つの選択で表示する補助画面を表示するよう制御するステップと；
選ばれるべきＨＤＤ選択方法に応じて選ばれた第一の選択を受けるステップとを有することを特徴とする、請求項４１記載の方法。
【請求項４３】
受けられ、選択された前記選択に応じて異なる大きさの複数のクラスターに前記ＨＤＤをフォーマットするステップは、
メーン制御部の制御下でデータ管理部のクラスター形成部によりＨＤＤをフォーマットするステップを有することを特徴とする、請求項４１記載の方法。
【請求項４４】
前記ＨＤＤを前記第一、第二の及び第三の領域にフォーマットするステップは、
前記ＭＰ３及びＪＰＥＧファイル用の一般のクラスターをフォーマットするステップと；
前記ＭＰＧファイル用の大容量のスーパークラスターを形成するように複数の一般のクラスターをフォーマットするステップとを有することを特徴とする、請求項４１記載の方法。
【請求項４５】
前記ＨＤＤのフォーマットを続けるべきか否かを判断するステップと；
前記ＨＤＤのフォーマットを続ける肯定的決定を受けるステップとを更に有することを特徴とする、請求項４１記載の方法。
【請求項４６】
編集が格納されたファイル上で実行されることを可能にする映像記録／再生装置において、
ハードディスクドライブ（ＨＤＤ）と；
前記ＨＤＤを制御するデータ管理部と；
ＭＰ３及びＪＰＥＧファイル用の第一の記録領域、第二の記録領域、及びＭＰＥＧファイル用の第三の記録領域、並びに編集が前記第三の記録領域に格納されているＭＰＥＧファイルに対して成されるように設けられた隠しバッファ領域に前記ＨＤＤをフォーマットするように前記データ管理部を制御するメーン制御部とを有することを特徴とする映像記録／再生装置。
【請求項４７】
前記データ管理部は、前記メーン制御部による制御に応じて異なる大きさの複数のクラスターに前記ＨＤＤをフォーマットするためのクラスター形成部を有することを特徴とする請求項４６記載の映像記録／再生装置。
【請求項４８】
前記異なる大きさを有する複数のクラスターは、ＭＰ３及び画像のファイルを格納するための一般のクラスターと；
ＭＰＥＧファイル用の複数の一般のクラスターとを有することを特徴とする、請求項４６記載の映像記録／再生装置。
【請求項４９】
前記メーン制御部による制御に応じて補助画面を表示するビデオ表示部を更に有し、
前記補助画面は、少なくとも一つのＨＤＤ分割方法選択からＨＤＤ分割方法を選択するようユーザに要求することを特徴とする、請求項４６記載の映像記録／再生装置。
【請求項５０】
前記メーン制御部による制御に応じて別の補助画面を表示するビデオ表示部を更に有し、
前記別の補助画面は、ユーザが前記選択されたＨＤＤ分割方法に従って前記ＨＤＤを形成するよう望むことを確認することを特徴とする、請求項４９記載の映像記録／再生装置。
【請求項５１】
映像記録／再生装置のハードディスクドライブ（ＨＤＤ）の初期化の間のブーティングエラーを防ぐ方法において、
前記映像記録／再生装置の電源を投入するステップと；
電力を受けるために前記映像記録／再生装置の夫々の部分を初期化するステップと；
ＨＤＤ自己初期化を実行するステップと；
ＨＤＤ自己初期化の失敗が前記映像記録／再生装置の初期化中に所定の回数起こったか否かを判断し、起こったと判断された場合には、前記映像記録／再生装置の初期化の完了の後に続く前記ＨＤＤへの電源供給を遮るステップと；
ＨＤＤ自己初期化の失敗が前記映像記録／再生装置の初期化中に所定の回数起こらなかった場合にはＨＤＤ自己初期化を完了するステップとを有することを特徴とする方法。
【請求項５２】
映像記録／再生装置のハードディスクドライブ（ＨＤＤ）の初期化中にブーティングエラーを防止するための装置において、
前記映像記録／再生装置に電力を供給するための電源と；
前記映像記録／再生装置の初期化中にデータを格納し、自己初期化を実行するためのＨＤＤと；
ＨＤＤ自己初期化の失敗が前記映像記録／再生装置の初期化中に所定の回数起こったか否かを判断し、起こったと判断された場合には、前記映像記録／再生装置の初期化の完了の後に続く前記ＨＤＤへの電源供給を遮る電源制御部に制御信号を供給し、ＨＤＤ自己初期化の失敗が前記映像記録／再生装置の自己初期化中に所定の回数起こらなかった場合には前記ＨＤＤの自己初期化の完了を可能にするためのメーン制御部とを有することを特徴とする装置。
【請求項５３】
映像記録／再生装置のハードディスクドライブ（ＨＤＤ）から発生したエラーファイルを自動的に削除するための方法において、
初期化イベントの発生時に自動的にエラーファイルを削除するステップと；
前記ＨＤＤで記録された一つ又はそれ以上の第一のプログラムファイルであって、前記ＨＤＤに記録されたヘッダ部分及びユーザデータ部分を有するユーザデータベース（Ｄ／Ｂ）ファイルを読み込むステップと；
前記ユーザデータ部分が存在するか否かを検出し、前記ユーザデータ部分が存在しない場合には前記第一のプログラムファイルを削除するステップとを有することを特徴とする方法。
【請求項５４】
前記初期化イベントの発生時に自動的にエラーファイルを削除するステップは、
プログラムリスト機能の実効命令を受けると自動的にエラーファイルを削除するステップを有することを特徴とする、請求項５３記載の方法。
【請求項５５】
前記初期化イベントの発生時に自動的にエラーファイルを削除するステップは、
前記映像記録／再生装置をオン又はオフとすると自動的にエラーファイルを削除するステップを有することを特徴とする、請求項５３記載の方法。
【請求項５６】
前記ユーザデータ部分が前記第一のプログラムファイルに存在する場合に、他のプログラムファイルのユーザＤ／Ｂファイルを読み込み続け、前記ユーザデータ部分の存在を決定するステップを更に有することを特徴とする、請求項５３記載の方法。
【請求項５７】
前記ＨＤＤに記録された一つ又はそれ以上の第一のプログラムファイルのユーザＤ／Ｂファイルを読み込むステップは、前記映像記録／再生装置のメーン制御部により実行されることを特徴とする、請求項５３記載の方法。
【請求項５８】
前記ユーザデータ部分が存在するか否かを判断するステップは、前記映像記録／再生装置のエラー検出部により実行されることを特徴とする、請求項５３記載の方法。
【請求項５９】
前記ユーザデータ部分が存在しない場合に前記第一のプログラムファイルを削除するステップは、前記映像記録／再生装置のメーン制御部により実行されることを特徴とする、請求項５３記載の方法。
【請求項６０】
前記ユーザデータ部分は、タイトル、ソース、ファイル名、年、月データ、時、分、秒及び／又は長さ情報に対応するデータを有することを特徴とする、請求項５３記載の方法。
【請求項６１】
映像記録／再生装置のハードディスクドライブ（ＨＤＤ）から発生したエラーファイルを自動的に削除する方法において、
ヘッダ部分とユーザデータ部分とを有するユーザＤ／Ｂ部分と、ＭＰＥＧ部分とを有するプログラムファイルを格納するためのＨＤＤと；
一つ又はそれ以上の第一のプログラムファイルから前記ユーザＤ/Ｂファイルを読み込み、前記ユーザデータが存在しない場合に前記第一のプログラムファイルを削除するためのメーン制御部と、
前記ユーザデータが存在するか否かを判断するためのエラー検出部とを有することを特徴とする方法。
【請求項６２】
前記ユーザデータは、タイトル、ソース、ファイル名、年、月データ、時、分、秒及び長さ情報を有することを特徴とする、請求項６１記載の方法。
【手続補正２】
【補正対象書類名】明細書
【補正対象項目名】０００４
【補正方法】変更
【補正の内容】
【０００４】
かかる映像記録/再生装置は、衛星放送、ケーブル放送、インターネットを介したネットワーク放送及び他の様々な映像/音響ソースを伴う多数の分野において適用されている。発せられる映像/音響ソースとは無関係に、全ての信号は、前述のようにハードディスクドライブのような格納手段に格納され、これらは格納用のフォルダーのような下位構造に分割される。
【手続補正３】
【補正対象書類名】明細書
【補正対象項目名】００１３
【補正方法】変更
【補正の内容】
【００１３】
前述した目的を達成するために本発明に係る映像記録/再生装置は、光記録媒体に格納された映像データが内蔵された記録媒体に記録されるよう指示する記録命令を受けるための入力部と；格納された前記映像データを符号化するビデオエンコーダーと；前記ビデオエンコーダーにより符号化された前記映像データを復号するビデオデコーダーと；前記入力部を介して記録命令が入力されるときに、前記光記録媒体に格納された前記映像データについてそれぞれ符号化及び復号が行われるように前記ビデオエンコーダー及び前記ビデオデコーダーを制御するように処理するメーン制御部とを含む。前記メーン制御部は、また、前記符号化することに当って適用された所定のＴＶ放送方式に基づいて前記映像データが復号されるよう前記ビデオデコーダーを制御し、復号された前記映像データが前記内蔵された記録媒体に記録されるように前記映像データを処理する。
【手続補正４】
【補正対象書類名】明細書
【補正対象項目名】００１４
【補正方法】変更
【補正の内容】
【００１４】
そして、前記ビデオデコーダーは、所定の領域にＴＶ放送方式の設定値が記録されるレジスタと、前記メーン制御部とを有する。前記メーン制御部は、前記符号化することに当って適用された前記所定のＴＶ放送方式に基づいて前記ＴＶ放送方式の設定値をアップデートするよう制御し、前記ビデオデコーダーがアップデートされた前記ＴＶ放送方式の設定値に基づいて復号するように制御できる。
【手続補正５】
【補正対象書類名】明細書
【補正対象項目名】００２６
【補正方法】変更
【補正の内容】
【００２６】
映像記録/再生装置２００は、遠隔制御器３００のような外部入力装置から受信された信号を処理し、表示情報をＴＶ１００に伝送する。なお、外部入力装置は、一例としてここでは赤外線のような無線信号を送出するために用いられている遠隔制御器３００のみならず、有線方式のキーボードのような入力装置にも適用され得る。以下では外部入力装置を遠隔制御器３００に限定して詳説する。
【手続補正６】
【補正対象書類名】明細書
【補正対象項目名】００２９
【補正方法】変更
【補正の内容】
【００２９】
映像記録/再生装置２００の例としては、ビデオカセットレコーダ（ＶＣＲ）、デジタルビデオディスクプレーヤ（ＤＶＤＰ）、パーソナルビデオレコーダ（ＰＶＲ）、ビデオカセットレコーダ／デジタルビデオディスクプレーヤ（ＶＣＲ/ＤＶＤＰ）コンビネーションシステム、ハードディスクドライブ/ＤＶＤＰコンビネーションシステムなどがあり、本発明ではハードディスクドライブ/ＤＶＤＰコンビネーションシステムを一実施形態に挙げて詳説する。ハードディスクドライブ/ＤＶＤＰコンビネーションシステムは、ハードディスクドライブとＤＶＤＰとが１つに組合され映像/音響信号からなされた動画ファイル、停止画ファイル、音響ファイルだけでなく、テキストファイルなどの種々なデータを記録及び再生できる機能を備える。
【手続補正７】
【補正対象書類名】明細書
【補正対象項目名】００６８
【補正方法】変更
【補正の内容】
【００６８】
これを詳説すると、臨時記録領域（Ｂ１）は、時間遅延視聴機能のために現在視聴されているプログラムを臨時記録するために使用される揮発性記録領域であって、外部から受信されるプログラムを先入先出（first  In  first  Out：ＦＩＦＯ）方式により臨時記録され得る領域である。
【手続補正８】
【補正対象書類名】明細書
【補正対象項目名】０１２２
【補正方法】変更
【補正の内容】
【０１２２】
本発明に係る第４の目的を具現するために、以下ではハードディスクドライブに記録されたデータの編集機能をメニューガイドリストを用いて制御する映像/再生装置及びその制御方法につき、添付された図１、図２、図１４ないし図１７を参照して詳説する。特に、ＴＶ１００にメニューガイドリストを表示し、これを用いて記録された映像信号データを編集することにつきメニューガイドリスト画面処理と関連づけて詳説する。
【手続補正９】
【補正対象書類名】明細書
【補正対象項目名】０１２６
【補正方法】変更
【補正の内容】
【０１２６】
ハードディスクドライブ２５０に格納されたプログラムの管理のためにメーンメニューからデジタルレコーダーメニューが選択されると、デジタルレコーダーメニューに属するサブメニューが垂直状に列を作って配されるようにメーンメニューと共に表示される。サブメニューには、プログラムリストメニュー、視聴制限のメニュー（Parent  lock）、編集メニュー、及びレコーディングメニューがある。
【手続補正１０】
【補正対象書類名】明細書
【補正対象項目名】０１６４
【補正方法】変更
【補正の内容】
【０１６４】
好ましくは、プログラムファイルの管理のためにハードディスクドライブ２５０ではヘッダ２５０Ｂ―１とユーザデータ２５０Ｂ−２を対応して備えられたユーザデータベース（Ｄ/Ｂ）２５０Ｂと、ＭＰＥＧ方式で符号化されたＧＯＰデータ２５０Ａとに分離されて記録される。
【手続補正１１】
【補正対象書類名】明細書
【補正対象項目名】０１８０
【補正方法】変更
【補正の内容】
【０１８０】
【図１】本発明の好ましい実施形態に係る映像記録/再生装置が適用されたシステムを概略的に示す図である。
【図２】図１に示された映像記録/再生装置の一実施形態を概略的に示したブロック図である。
【図３】図２に示されたハードディスクドライブの論理的な構造を概略的に示した図である。
【図４】図２に示されたハードディスクドライブのクラスターの配置を示した図である。
【図５】図１に示された遠隔制御器を示す平面図である。
【図６】図２に示された映像記録/再生装置の制御方法を説明するためのフローチャートである。
【図７】図２に示されたデータ管理部の一実施形態に係るブロック図である。
【図８】図２に示されたハードディスクドライブのファイル配置構造及び臨時ファイルの格納方法を説明するためのブロック概念図である。
【図９Ａ】本発明の好ましい実施形態に係るデータ管理部によって臨時記録領域（Ｂ）及び長期記録領域（Ａ）が再設定される過程を説明するためのブロック概念図である。
【図９Ｂ】本発明の好ましい実施形態に係るデータ管理部によって臨時記録領域（Ｂ）及び長期記録領域（Ａ）が再設定される過程を説明するためのブロック概念図である。
【図１０】本発明の一実施形態に係る映像記録/再生装置にて発生するファイルの格納方法を説明するためのフローチャートである。
【図１１】図２の映像記録/再生装置でデータ管理部の一実施形態を示したブロック図である。
【図１２Ａ】本発明の好ましい実施形態に係るクラスターのサイズを選択するための補助画面の一例を図示した図である。
【図１２Ｂ】本発明の好ましい実施形態に係るハードディスクドライブのクラスターのフォーマットを進行するかを選択するための補助画面である。
【図１２Ｃ】本発明によって形成されたハードディスクドライブのクラスター配置を示した図である。
【図１３Ａ】本発明の一実施形態によってクラスターを分割してフォーマットする方法を説明するためのフローチャートである。
【図１３Ｂ】本発明の一実施形態によって分割されたクラスターにファイルを格納する方法を説明するためのフローチャートである。
【図１４】本発明の好ましい実施形態に係る初期案内メニュー画面のクラスターで編集メニューが選択された時、後続して表示されるメニューガイドリストの画面である。
【図１５】図１４の結合メニューが選択される時、後続して表示される画面である。
【図１６】図１４の分割メニューが選択される時、後続して表示される画面である。
【図１７】図２のハードディスクドライブに格納されたプログラム情報の構造を示すブロック図である。
【図１８】本発明に係る映像記録/再生装置のハードディスクドライブの制御方法を説明するためのフローチャートである。
【図１９】図２に示された映像記録/再生装置の初期化方法を説明するためのフローチャートである。
【図２０】本発明に係る映像記録/再生装置によって記録媒体に格納された映像/音響信号のＴＶ放送方式が検出され、本発明の好ましい実施形態に係るハードディスクドライブに信号を格納する間に検出されたＴＶ放送方式が適用される過程を説明するためのフローチャートである。
【図２１】ハードディスクドライブに記録される動画ファイルであるプログラムファイルを説明するための概念図である。
【図２２】本発明の好ましい実施形態に係るプログラムリスト機能が行われる場合に表示される画面を示した図である。
【図２３】本発明に係る映像記録/再生装置のエラーファイルの自動削除方法を説明するためのフローチャートである。